(57)【要約】      （修正有）【課題】身分識別が実施される対象者の口腔の歯または骨内に配置される身分識別装置を提供する。【解決手段】身分識別装置は、歯科用インプラントキャリアと、該歯科用インプラントキャリア内の情報記憶素子とを備える。前記身分識別装置は、良好な機密性、及び生体適合性を備える。前記身分識別装置を用いることによって、使用者の身分識別が行なわれる。【選択図】図１Ｂ
0003165873.tif 000002
【実用新案登録請求の範囲】
【請求項１】
歯科用インプラントキャリアと、
前記歯科用インプラントキャリア内に配置された情報記憶素子とを備える身分識別装置。
【請求項２】
前記歯科用インプラントキャリアは、歯科用クラウン、歯科用ポスト、歯科用インプラント、又は骨スクリュである請求項１に記載の身分識別装置。
【請求項３】
前記情報記憶素子に記憶される情報は、使用者の身分識別情報、使用者の個人情報、又はその組み合わせを含む請求項１に記載の身分識別装置。
【請求項４】
前記情報は、電子マネーの残高の情報をさらに含む請求項３に記載の身分識別装置。
【請求項５】
前記情報記憶素子は、チップ、フラッシュメモリ、金属エッチングコード、又はその組み合わせである請求項１に記載の身分識別装置。
【請求項６】
前記チップは身分識別チップである請求項５に記載の身分識別装置。
【請求項７】
前記チップは、非接触型チップ、接触型チップ、又はその組み合わせである請求項５に記載の身分識別装置。
【請求項８】
前記情報記憶素子は金属装具によって覆われる請求項１に記載の身分識別装置。
【請求項９】
前記金属装具の金属はチタンである請求項８に記載の身分識別装置。
【考案の詳細な説明】
【技術分野】
【０００１】
本考案は身分識別装置に関し、より詳細には、身分が識別される生体内に設置され、かつ良好な機密性および生体適合性を有する身分識別装置に関する。
【背景技術】
【０００２】
迷い犬は、深刻化している社会問題である。悪質な遺棄を防ぎ、かつ迷い犬を捜索するために、台湾政府は各犬に動物用チップを埋め込むという動物保護活動に関する法律を率先して制定した。各動物用チップは、読み取り器によって読み取られ、かつ管理データベースに入力されて、犬および飼い主の情報が得られる特定番号を有する。
【０００３】
動物用チップを埋め込むための従来法は、動物の皮下組織中にチップを皮下挿入するものであり、該方法は理論的には単純であり、それほど苦痛を伴わず、副作用のない良好な予後を有する。実際には、チップが皮下組織中に配置されるため、アレルギ、または生体適合性の問題によって皮膚に潰瘍を生じ、あるいは外力によって損傷を受けるリスクを有する。従って、従来の動物用チップは、依然として改善の必要がある。
【０００４】
上述の犬および飼い主の識別の他に、人の身分識別も、人間社会に長い間存在してきた重要な課題である。治安事件または自然災害が発生した後に、通常、身分識別が不可能な遺体が発見される。従来、そのような遺体の身分を識別するための主な方法は、行方不明者がいる家族に通知して、遺体を確認してもらうことであった。しかしながら、この方法は時間を必要とするだけでなく、十分に機能しない。さらに、確認中の家族の悲痛、不幸、不安な心情を考慮すると、この方法は残酷である。
【０００５】
指紋検査および歯型検査は、代替的な身分識別方法である。しかしながら、指紋データベースおよび歯型データベースに登録された人口の全人口に対する割合は非常に低く、通常、指紋検査および歯型検査は効果的に機能しない。さらに、データベースは特に子供の情報を十分に備えず、行方不明の子供を捜索する調査を無効にする。従って、いくつかの先進国は全人口に対する指紋データベースの構築に動き始めたが、その動向は結局、プライバシー問題で中断している。
【０００６】
上記を考慮すると、人間か動物かに限らず、身分識別が必要である。しかしながら、どのように実現するかは依然として解決される必要のある問題である。
【考案の概要】
【考案が解決しようとする課題】
【０００７】
従って、本考案の課題は、身分が識別される対象者の口腔の歯または骨内に配置されて、損傷を受けたり、予後が良好でなかったりするリスクが低減され、かつ生体適合性が改善される身分識別装置を提供することにある。
【０００８】
本考案の別の課題は、身分が識別される対象者の口腔の歯または骨内に配置され、即ち、機密性を有する位置に配置され、かつ対象者のプライバシーが保護される身分識別装置を提供することにある。
【課題を解決するための手段】
【０００９】
上述の課題を解決するために、本考案は、歯科用インプラントキャリアと、前記歯科用インプラントキャリア内に配置された情報記憶素子とを備える身分識別装置を提供する。
望ましくは、前記歯科用インプラントキャリアは、歯科用クラウン、歯科用ポスト、歯科用インプラント、又は骨スクリュである。
【００１０】
本考案の一実施形態において、前記身分識別装置は歯科用クラウンと、前記歯科用クラウン内に配置された情報記憶素子とを備える。本考案の一実施形態において、前記身分識別装置は歯科用ポストと、前記歯科用ポスト内に配置された情報記憶素子とを備える。本考案の一実施形態において、前記身分識別装置は歯科用インプラントと、前記歯科用インプラント内に配置された情報記憶素子とを備える。本考案の一実施形態において、前記身分識別装置は骨スクリュと、前記骨スクリュ内に配置された情報記憶素子とを備える。
【００１１】
望ましくは、前記情報記憶素子に記憶される情報は、使用者の身分識別情報、使用者の個人情報、又はその組み合わせを含む。望ましくは、前記情報は、電子マネーの残高の情報をさらに含む。
【００１２】
望ましくは、前記情報記憶素子はチップ、フラッシュメモリ、金属エッチングコード、又はその組み合わせである。望ましくは、前記チップは身分識別チップであり、望ましくは、前記チップは非接触型チップ、接触型チップ、又はその組み合わせである。望ましくは、前記情報記憶素子は金属装具によって覆われ、望ましくは、前記金属装具の金属はチタンである。
【００１３】
本考案の身分識別装置を用いて身分識別するには、請求項１に記載の少なくとも一つの身分識別装置を、身分が識別される対象者の口腔内に配置し、前記身分識別装置の情報記憶素子を読み取る。望ましくは、前記身分識別装置は前記口腔内の歯または骨内に配置される。望ましくは、前記情報記憶素子が読み取られる前に、前記身分識別装置は前記口腔から取り出される。望ましくは、前記読み取りの種類は非接触型読み取り、又は接触型読み取りである。望ましくは、対象は、人間または動物である。
【考案の効果】
【００１４】
本考案は、身分識別装置に関し、前記身分識別装置は口腔の歯または骨内に配置されて、従来の装置より高い機密性を有する。従って、前記身分識別装置は、他人に知られ難く、かつ外力により損傷を受け難い。使用者の要望に応じて異なる種類の情報記憶素子を選択することによって、プライバシーの問題は解決される。さらに、前記身分識別装置を埋め込むには、歯科医院のすでに発達した通例の医療手術を利用する。従って、本考案の身分識別装置の実施は、容易であり、かついかなる予後のリスクもほぼ備えず、即ち、対象者が装置の埋め込みを承認し易くなり、長い間存在してきた身分識別問題は解決される。
【図面の簡単な説明】
【００１５】
【図１Ａ】本考案の実施形態１の身分識別装置の断面図。
【図１Ｂ】図１Ａに示される実施形態の埋め込まれた後の断面図。
【図２Ａ】本考案の実施形態２の身分識別装置の断面図。
【図２Ｂ】図２Ａに示される実施形態の埋め込まれた後の断面図。
【図３Ａ】本考案の実施形態３の身分識別装置の断面図。
【図３Ｂ】図３Ａに示される実施形態の埋め込まれた後の断面図。
【図４Ａ】本考案の実施形態４の身分識別装置の断面図。
【図４Ｂ】図４Ａに示される実施形態の埋め込まれた後の断面図。
【考案を実施するための形態】
【００１６】
本考案は、身分識別装置に関する。前記身分識別装置は、情報を備えた情報記憶素子を歯科用インプラントキャリア内に設置するように構成される。前記身分識別装置は、従来の発達した歯科手術を用いることによって、対象者の口腔の歯または骨内の位置に配置される。
【００１７】
高い機密性を有し、外力による損傷を受け難く、かつ設置が容易であるという利点のために、口腔の歯または（歯槽骨等の）骨が、前記身分識別装置の位置として選択される。さらに、歯および骨は、生物学的に比較的不活性な組織であって、埋め込みチップにとって、予後に高いリスクを有する皮下組織より良好である。機密性の観点から、口腔内の歯または骨の位置は比較的高い機密性を有し、従って、適切な情報記憶素子を選択することによって、機密性を維持した状態において、迅速な身分識別が実現可能である。従って、機密性を考慮して、前記身分識別装置は、使用者にとって指紋検査や歯型検査より好適である。
【００１８】
本考案の装置は、金属装具によって覆われ、かつ／あるいは、歯科用インプラントキャリア内に配置される。即ち、前記装置は使用者の内部組織と直接に接触せず、従って、前記装置は生理学的反応をほぼ引き起こさず、かつ関連した医学的規則に従う。一方、前記金属装具は、望ましくは、少なくとも９９％の純度を有するチタンから製造され、ひいては、優れた生体適合性を備える。
【００１９】
前記情報記憶素子は、チップ、フラッシュメモリ、金属エッチングコード、又はその組み合わせを含むが、これらに限定されない。非限定的な例として、動物の皮下に挿入されるために伝統的に用いられるチップは、本考案にとって適切である。また、チップは、使用者の要求に応じて、非接触型チップ、接触型チップ、又はその組み合わせであり得る。非接触型チップは、対応した読み取り器と直接接触することなく、読み取りが可能なチップであり、他方、接触型チップは、対応した読み取り器のセンサと実質的に直接接触することによって読み取られるチップである。
【００２０】
また、チップの形状は限定されないが、望ましくは、インプラントキャリアの形状に応じて選択され、例えば、短い管状である。チップ内に情報を記憶させる方法は、チップおよびメモリの周知の従来の書き込み式（接触型書き込み式）、又はＲＦＩＤシステム（無線身分識別、非接触型書き込み式）を含むが、これらに限定されない。
【００２１】
フラッシュメモリは、従来のフラッシュメモリであるが、これに限定されない。金属エッチングコードは、情報記憶素子の適切な領域に数字をエッチングすることによって得られ、前記数字の長さは限定されないが、コードは、望ましくは、より多くの使用者にサービスを提供し、かつ高い機密性を備えるために、少なくとも七桁である。各コードは各使用者に対する特定のコードであって、データベースに使用者の情報を記憶させることによって対応する。従って、データベースにコードを入力することによって、使用者の情報が得られる。前記金属は限定されないが、望ましくは、高い生体適合性を備えたチタンである。望ましくは、金属エッチングコードは、前記チップまたはフラッシュメモリが壊れたり、あるいは機能しなかったりする場合の身分識別のためのバックアップとして用いられても良い。
【００２２】
情報は、使用者の身分識別情報、使用者の個人情報、又はそれらの組み合わせであって、電子マネーの残高情報をさらに備えても良い。前記使用者の身分識別情報は、限定されないが、使用者を識別するために用いられるＩＤ番号、氏名、生年月日等を含む。前記個人情報は、限定されないが、血液型、大病の記録、臓器提供の意思、緊急連絡先等を含む。前記電子マネーは、限定されないが、生活を便利にするためのＩＣカード乗車券（ＥａｓｙＣａｒｄ）、ｉＣａｓｈ、クレジットカード、デビットカード等を含む。血液型を例とする場合、緊急処置の従来の過程によると、昏睡状態または意識不明の状態にある負傷者が病院に搬送され、かつ輸血を必要とする時に、負傷者の血液型を確認するために血液型検査をしたり、情報にアクセスしたりすることは、時間を消費する。即ち、緊急処置の貴重な時間が、このようにして浪費される。一方、負傷者が本考案の身分識別装置を埋め込んでいた場合、医療スタッフは負傷者の口腔内に配置されたチップを初めに読み取って、負傷者の血液型または大病の記録を知ることができ、ひいては、最適な処置を早急に実施することができる。このようにして、緊急処置の効率が効果的に改善される。
【００２３】
前記読み取りは、用いられる情報記憶素子の種類に対応している。例えば、非接触型チップが用いられる場合には、対応する読み取り器が、使用者の体外から直接的にチップを読み取るために用いられる。接触型チップが用いられる場合には、情報記憶素子は、まず本考案の身分識別装置から取り外され、次に、対応する読み取り器内に挿入されて、記憶された情報が読み出される。金属エッチングコードが用いられる場合には、情報記憶素子は、まず使用者の歯または骨から取り出されて、情報記憶素子に予め定められたコードを識別し、次に、コードがデータベースに入力されて、情報が得られる。
【００２４】
以下の実施形態は、本考案の利点をさらに明らかにするが、本考案の権利範囲を限定するものではない。さらに、図面は本考案の要素を説明するものであって、要素の尺度を限定するものではない。
【００２５】
（実施形態１：インプラントキャリアとして歯科用クラウンを含む本考案の身分識別装置の埋め込み及び読み取り）
衝突等の理由で、歯が大きく破壊され、又は損傷した場合、歯の噛み砕く機能を維持するために、天然の歯冠の代替物として歯科用クラウンを用いる必要がある。
【００２６】
本実施形態において用いられる情報記憶素子は、短い管状のフラッシュメモリである。使用者のＩＤ番号、氏名、血液型、緊急連絡先、および大病の記録がフラッシュメモリに記憶されている。
【００２７】
本考案の装置の埋め込みのために、まず、使用者の天然の歯冠が適切な大きさに削られて、歯科用クラウンを配置する支持部として用いられる。次に、周知の手術によって、削られた天然の歯の型が取られ、該型に従って歯科用クラウンが成型される。
【００２８】
図１Ａに示されるように、歯科用クラウン１１は、本考案の装置１０のキャリアとして用いられる。次に、情報を記憶したフラッシュメモリ１２が、金属装具１３によって覆われて、歯科用クラウン１１の内側に配置される。図１Ｂに示されるように、本考案の装置１０が、削られた天然の歯冠１４上に配置されて、フラッシュメモリ１２を使用者の歯の内部に隠している。本考案の装置１０の埋め込みは、このように完了する。
【００２９】
本実施形態の情報記憶素子はフラッシュメモリである。従って、誰かがフラッシュメモリ１２内に記憶された情報を必要とする場合には、本考案の装置１０を天然の歯冠１４から取り外し、かつフラッシュメモリ１２を歯科用クラウン１１の内側から読み取り器（図示せず）へ取り出して、使用者の身分や情報を識別する必要がある。
【００３０】
（実施形態２：インプラントキャリアとして歯科用ポストを含む本考案の身分識別装置の埋め込み及び読み取り）
虫歯は一般的な歯の疾病である。深刻な虫歯の場合に、細菌に感染された領域が拡大したり、悪化したりすることを防ぎ、かつ一部の歯の機能を保有するように、感染歯を処置するために歯根管治療がしばしば採用される。歯根管治療は「神経の除去」と呼ばれるが、実際には、完全な歯根管治療は、歯内部の血管、神経、及び細菌を含む全腐肉部を除去すること、及び空の歯髄腔（歯根管）を残すことを含んでいる。歯科用クラウンで覆われる限り、歯根管治療後の歯は噛み砕く機能を依然として有する。しかしながら、血管および神経が除去されているため、治療後の歯は活力を失い、健康な歯より容易に壊れやすい。治療後の歯を支持するために十分な強度を提供するため、歯科用ポストがしばしば歯髄腔内に配置されて、歯の強度を改善し、天然の歯冠は歯科用クラウンを配置させるために削られる。従って、治療後の歯の噛み砕く機能は、歯科用ポストによる支持強度および歯科用クラウンによる保護のおかげで、より長い時間維持される。
【００３１】
本実施形態において用いられる情報記憶素子は、短い管状の接触型チップであり、チタンエッチングコードを備える。前記接触型チップには、使用者のＩＤ番号、氏名、生年月日、血液型、および大病の記録が記憶されている。
【００３２】
図２Ａに示されるように、歯科用ポスト２１は本考案の装置２０のキャリアとして用いられる。情報が記憶されたチップ２２は、前記歯科用ポスト２１内に配置され、前記歯科用ポスト２１は純チタン（少なくとも９９％の純度を備えるチタン）である。
【００３３】
図２Ｂに示されるように、本考案の装置２０の埋め込みのために、まず、歯の歯髄腔２３が完全に洗浄され、天然の歯冠２４は、歯科用クラウン２５を固定するための支持部として作用するために適切な大きさに削られる。次に、周知の手術によって、削られた天然の歯冠２４の型が取られ、該型に従って歯科用クラウン２５が製造される。次に、本考案の装置２０が歯髄腔２３内に配置され、歯科用クラウン２５が天然の歯冠２４上に配置される。本考案の装置２０の埋め込みは、このように完了する。
【００３４】
本実施形態の情報記憶素子は、接触型チップ２２およびチタンエッチングコード（図示せず）を備える。誰かがチップ２２内に記憶された情報を必要とする場合に、使用者の歯の歯髄腔２３から本考案の装置２０を取り外して、装置２０内のチップ２２を取り出す必要がある。次に、チップ２２が、使用者の身分や情報の識別のために、読み取り器（図示せず）で読み取られる。一方、チップ２２が機能しない場合に、チップ２２の表面上にエッチングされたチタンエッチングコードが読み取られて、使用者の身分を識別し、かつ使用者の情報を得るために所定のデータベースに入力される。
【００３５】
（実施形態３：インプラントキャリアとして歯科用インプラントを含む本考案の身分識別装置の埋め込み及び読み取り）
正常な歯の寿命が尽きた場合、人工歯は人間の噛む要求を満足する必要がある。人工歯の技術は徐々に改良され、多くの関連要素も改良されてきた。本実施形態は、インプラントキャリアとして歯科用インプラントを用いる本考案の実施形態を説明するための例として、従来の人工歯を採用している。
【００３６】
本実施形態において用いられる情報記憶素子は、短い管状の非接触型チップであり、かつチタンエッチングコードを備えている。非接触型チップには、使用者のＩＤ番号およびＩＣカード乗車券の残高が記憶されている。
【００３７】
図３Ａに示されるように、本考案の装置３０は、歯科用インプラント３１と、情報を記憶するチップ３２とを備える。歯科用インプラント３１は、純チタン（少なくとも９９％の純度を有するチタン）から製造され、情報を記憶するチップ３２は歯科用インプラント３１の内側に配置される。
【００３８】
図３Ｂに示されるように、本考案の装置３０の埋め込みのために、まず、天然の歯が抜かれ、歯槽骨３６に開口が開けられる。次に、チップ３２を含む歯科用インプラント３１が開口内に配置される。歯茎３５が癒合するまで待った後で、癒合した歯茎３５が再度開かれて、歯科用インプラント３１が挿入され、土台３３に連結されるために露される。次に、歯科用クラウン３４は土台上に配置され、装置３０の埋め込みが完了する。
【００３９】
本実施形態の情報記憶素子は非接触型チップ３２およびチタンエッチングコード（図示せず）を備え、非接触型チップ３２には、使用者のＩＤ番号およびＩＣカード乗車券の残高が記憶される。使用者がＩＣカード乗車券を使いたい時に、使用者はチップ３２を読み取るためのセンサ（図示せず）が設置された通路を通過するだけでよく、センサはチップ３２内に記録された残高を読み出し、差し引いた後の新たな残高を更新する。チャージが必要な場合には、使用者はセンサに設置されたチャージ機の近傍に立つだけで、センサはチップ３２に記憶された情報を読むことができる。次に、チャージ機は、使用者のＩＤ番号をディスプレイに表示し、使用者にチップ３２が正確に読み取られていることを確認させる。同時に、チャージ機は使用者の操作によってチャージを実行し、新たな残高を更新する。
【００４０】
非接触型チップ３２が機能しない場合に、本考案の装置３０は歯槽骨３６から除去され、装置３０内のチップ３２は歯科用インプラント３１から取り出される。次に、チタンエッチングコード（図示せず）が読み取られ、かつ対応するデータベースに入力されて、使用者の身分およびＩＣカード乗車券の残高が識別される。識別の後、ＩＤ番号および残高は新たなチップ３２に記憶される。次に、新たなチップ３２は歯槽骨３６内に再度設置され、通常通り用いられる。
【００４１】
（実施形態４：インプラントキャリアとして歯科用骨スクリュを含む本考案の身分識別装置の埋め込み及び読み取り）
小さな骨スクリュ（ミニスクリュ）は一般的な歯科医療用具であり、例えば、矯正過程は補助的用具として骨スクリュを必要とし、骨スクリュは、下顎に固定されて、歯を移動させる金属ワイヤの作用点として作用する。
【００４２】
本実施形態において用いられる情報記憶素子は、短い管状の非接触型チップであり、チタンエッチングコードを備える。非接触型チップには、使用者のＩＤ番号、氏名、生年月日、血液型、及び大病の記録が記憶される。
【００４３】
図４Ａに示されるように、本考案の装置４０は、骨スクリュ４１と、その内側に配置され、かつ情報を記憶するチップ４２とを備える。骨スクリュ４１（ミニスクリュ）は純チタンから製造され、かつネジ構造４３を有する。
【００４４】
図４Ｂに示されるように、本考案の装置４０は従来の歯科手術によって、ネジ構造４３で骨４４の所定位置に固定される。柔軟な組織（歯茎）４５が癒合した後に、本考案の装置４０は柔軟な組織４５内に完全に埋め込まれ、口腔内に露されない。
【００４５】
前記所定位置には次の少なくとも二つの選択肢が存在する。１）下顎側切歯の歯根尖の下方２ｍｍ、かつ左右のオトガイ孔の前方少なくとも５ｍｍの位置、２）下顎の第二大臼歯の後頬側から上行枝の前頬側までの領域内の位置。
【００４６】
本実施形態の情報記憶素子は、非接触型チップ４２と、チタンエッチングコード（図示せず）とを備えるため、チップ４２内に記憶された情報が必要とされる時に、対応した読み取り器（図示せず）は、使用者の身分および使用者の情報を識別するために適当に離間した位置から、チップ４２内に記憶された情報を読み取るだけでよい。チップ４２が機能しない場合には、装置４０が使用者の口腔の骨４４から除去され、かつチップ４２が骨スクリュ４１から取り出されて、チップ４２の表面上のチタンエッチングコードが認識される。次に、コードが所定のデータベースに入力されて、使用者の身分および使用者の情報が識別される。
【００４７】
実施形態および技術的原理が上述された。本考案の変更および修正や、それらの使用の全ては、本明細書および図面に開示された内容の精神から逸脱しない限り、本考案の権利範囲内に含まれる。
【図１Ａ】
0003165873.tif 000003
【図１Ｂ】
0003165873.tif 000004
【図２Ａ】
0003165873.tif 000005
【図２Ｂ】
0003165873.tif 000006
【図３Ａ】
0003165873.tif 000007
【図３Ｂ】
0003165873.tif 000008
【図４Ａ】
0003165873.tif 000009
【図４Ｂ】
0003165873.tif 000010